(57)【要約】【課題】釣り糸がリール本体内に進入しても釣り糸をリール本体内から取り出しやすくする。【解決手段】両軸受リール１００は、リール本体１と、スプール１０と、を備える。リール本体１は、内側に開口した第１スプール収容部１４ａを有する。スプール１０は、糸巻き胴部よりも大径に形成される第１フランジ部１０ｂを有する。第１フランジ部１０ｂの外周部１６は、第１外周部１６ａと、第２外周部１６ｂと、第１連結部１６ｃと、を有する。第１外周部１６ａは、第１スプール収容部１４ａの内周部１８と第１所定距離Ｌ１をあけて配置される。第２外周部１６ｂは、第１スプール収容部１４ａの内周部１８と第２所定距離Ｌ２をあけて配置され、第１外周部１６ａよりも小径である。第１連結部１６ｃは、第２外周部１６ｂから第１外周部１６ａに向かって徐々に拡径し、第１外周部１６ａと第２外周部１６ｂとを連結する。【選択図】図３
2015181436.tif 000002
【特許請求の範囲】
【請求項１】
釣り糸を前方に繰り出し可能な両軸受リールであって、
内側に開口したスプール収容部を有するリール本体と、
前記釣り糸を巻き付け可能な糸巻き胴部、前記糸巻き胴部の一端に前記糸巻き胴部よりも大径に形成される第１フランジ部、及び前記糸巻き胴部の他端に前記糸巻胴部よりも大径に形成される第２フランジ部、を有するスプールと、
を備え、
前記第１フランジ部及び前記第２フランジ部の少なくともいずれか一方の外周部は、
前記スプール収容部の内周部と第１所定距離をあけて配置される第１外周部と、
前記スプール収容部の内周部と第２所定距離をあけて配置され、前記第１外周部よりも小径の第２外周部と、
前記第２外周部から前記第１外周部に向かって徐々に拡径し、前記第１外周部と前記第２外周部とを連結する第１連結部と、
を有する、両軸受リール。
【請求項２】
前記スプール収容部の前記内周部は、
前記第１外周部と前記第１所定距離あけて配置される第１内周部と、
前記第２外周部と前記第２所定距離あけて配置され、前記第１内周部よりも小径の第２内周部と、を有する、請求項１に記載の両軸受リール。
【請求項３】
前記スプール収容部は、前記第１内周部と前記第２内周部とを連結する第２連結部を有する、請求項２に記載の両軸受リール。
【請求項４】
前記第２連結部は、連続的に湾曲して前記第１内周部と前記第２内周部とを連結する、請求項３に記載の両軸受リール。
【請求項５】
前記第１所定距離と前記第２所定距離は同じ距離である、請求項２から５のいずれか１項に記載の両軸受リール。
【請求項６】
前記第２所定距離は、前記第１所定距離よりも小さい、請求項２から４のいずれか１項に記載の両軸受リール。
【請求項７】
前記第１連結部は、連続的に湾曲して前記第１外周部と前記第２外周部とを連結する、請求項１から６のいずれか１項に記載の両軸受リール。
【請求項８】
前記第１フランジ部は、前記スプールを回転操作するハンドル側に配置され、前記外周部を有する、請求項１から７のいずれか１項に記載の両軸受リール。
【請求項９】
前記第２フランジ部は、前記外周部を有する、請求項１から８のいずれか１項に記載の両軸受リール。
【請求項１０】
前記第１所定距離及び前記第２所定距離は、０．５ｍｍから２ｍｍの範囲である、請求項１から９のいずれか１項に記載の両軸受リール。
【発明の詳細な説明】
【技術分野】
【０００１】
本発明は、釣り用リール、特に、釣り糸を前方に繰り出し可能な両軸受リールに関する。
【背景技術】
【０００２】
両軸受リールのリール本体は、スプールのフランジ部が収容される円形のスプール収容部を有する。スプール収容部の内周面とフランジ部の外周面との間には、隙間が形成される。この隙間が大きすぎると、細い釣り糸を使用したとき、内周面と外周面との隙間からリール本体内に進入して釣り糸がリール本体内部に絡むおそれがある。釣り糸の進入を防止するために、上記の隙間を小さくすると、フランジ部の外周面がスプール収容部の内周面に接触する可能性がある。そこで、フランジ部の外周面に環状に突出する釣り糸進入防止部を設けるとともに、スプール収容部に釣り糸進入防止部に対向して配置された筒状部（環状部）を設けた両軸受リールが知られている（例えば、特許文献１参照）。
【０００３】
従来の両軸受リールでは、環状に突出する釣り糸進入防止部によって釣り糸がスプール収容部からリール本体内に進入しにくくなる。また、釣り糸が仮にリール本体の釣り糸進入防止部を通過して内部に進入しても、筒状部に接触することによって釣り糸の糸落ち、つまり、釣り糸が径方向内側（スプール軸）にまで、落ちにくくなる。
【０００４】
また、筒状部（環状部）の先端部は、内周面から先端面に向かって拡径するテーパ部を有している。このテーパ部は、内周面側の端部が釣り糸進入防止部の先端部の最外径部より軸方向内方に位置するように形成されている。
【先行技術文献】
【特許文献】
【０００５】
【特許文献１】特許４５００５９９号公報
【発明の概要】
【発明が解決しようとする課題】
【０００６】
従来の両軸受リールでは、釣り糸進入防止部から釣り糸がリール本体内に進入しても釣り糸の糸落ちが生じにくくなる。
また、釣り糸進入防止部の先端部の最外径部より軸方向内方にテーパ部の内周側端部が位置しているので、釣り糸進入防止部と環状部との間の隙間を最小にでき、このため釣り糸が釣り糸進入防止部と環状部との間の隙間に進入しにくくなる。
しかしながら、釣り糸進入防止部からリール本体内に進入した釣り糸を取り出しにくい。
【０００７】
本発明の課題は、釣り糸がリール本体内に進入しても釣り糸をリール本体内から取り出しやすくすることにある。
【課題を解決するための手段】
【０００８】
本発明に係る両軸受リールは、釣り糸を前方に繰り出し可能である。両軸受リールは、リール本体と、スプールと、を備える。リール本体は、内側に開口したスプール収容部を有する。スプールは、釣り糸を巻き付け可能な糸巻き胴部、糸巻き胴部の一端に糸巻き胴部よりも大径に形成される第１フランジ部、及び糸巻き胴部の他端に糸巻胴部よりも大径に形成される第２フランジ部、を有する。
【０００９】
第１フランジ部及び第２フランジ部の少なくともいずれか一方の外周部は、第１外周部と、第２外周部と、第１連結部と、を有する。第１外周部は、スプール収容部の内周部と第１所定距離をあけて配置される。第２外周部は、スプール収容部の内周部と第２所定距離をあけて配置され、第１外周部よりも小径である。第１連結部は、第２外周部から第１外周部に向かって徐々に拡径し、第１外周部と第２外周部とを連結する。
【００１０】
この両軸受リールでは、第１連結部が第２外周部から第１外周部に向かって徐々に拡径している。ここでは、仮に第１外周部とスプール収容部との間の隙間から釣り糸が第２外周部に進入しても、釣り糸を引っ張ると、釣り糸に糸巻き胴部に戻る力が作用し、第１連結部を上って、釣り糸が糸巻き胴部に戻りやすくなる。このため、釣り糸がリール本体内に進入しても釣り糸をリール本体内から取り出しやすくなる。
【００１１】
スプール収容部の内周部は、第１外周部と第１所定距離あけて配置される第１内周部と、第２外周部と第２所定距離あけて配置され、第１内周部よりも小径の第２内周部と、を有してもよい。この場合には、スプール収容部の第１内周部よりも小径の第２内周部が第２外周部との間に第２所定距離をあけて配置されるので、第２外周部と第２内周部との隙間から釣り糸がリール本体内に進入しにくくなる。
【００１２】
スプール収容部は、第１内周部と第２内周部とを連結する第２連結部を有してもよい。この場合には、第１内周部と第２内周部とが連結されるので、第２外周部に釣り糸が進入しても進入した釣り糸が第２連結部に接触してリール本体内に進入しにくくなる。
【００１３】
第２連結部は、連続的に湾曲して第１内周部と第２内周部とを連結してもよい。この場合には、第２連結部に釣り糸が接触しても釣り糸を第２外周部に戻しやすい形状にすることができる。また、第２連結部が滑らかに形成されるので、釣り糸が第２連結部に接触しても釣り糸が傷付きにくくなる。
【００１４】
第１所定距離と第２所定距離は同じ距離であってもよい。この場合には、第１外周部及び第２外周部がスプール収容部に接触しにくくなる。
【００１５】
第２所定距離は、第１所定距離よりも小さくてもよい。この場合に、第２外周部からリール本体内に釣り糸が進入しにくくなる。
【００１６】
第１連結部は、連続的に湾曲して第１外周部と第２外周部とを連結する。この場合には、第１連結部が滑らかに形成されるので、第１連結部に釣り糸が接触しても釣り糸が傷付きにくくなる。
【００１７】
第１フランジ部は、スプールを回転操作するハンドル側に配置され、外周部を有してもよい。この場合には、ハンドル側でリール本体内に釣り糸が進入しても、釣り糸をリール本体内から取り出しやすくなる。
【００１８】
第２フランジ部は、外周部を有してもよい。この場合には、第２フランジ部からリール本体内に釣り糸が進入しても、釣り糸を取り出しやすくなる。
【００１９】
第１所定距離及び第２所定距離は、０．５ｍｍから２ｍｍの範囲であってもよい。この場合には、細い釣り糸が第１外周部及び第２外周部から進入しにくくなるとともに、第１外周部及び第２外周部がスプール収容部に接触しにくくなる。
【発明の効果】
【００２０】
本発明によれば、仮に第１外周部とスプール収容部との間の隙間から釣り糸が第２外周部に進入しても、釣り糸を引っ張ると、釣り糸に糸巻き胴部に戻る力が作用し、第１連結部を上って、釣り糸が糸巻き胴部に戻りやすくなる。このため、釣り糸がリール本体内に進入しても釣り糸をリール本体内から取り出しやすくなる。
【図面の簡単な説明】
【００２１】
【図１】本発明の一実施形態による両軸受リールの斜視図。
【図２】その断面背面図。
【図３】図２のIII部拡大図。
【図４】図２のIV部拡大図。
【図５】変形例１の図３に相当する図。
【図６】変形例２の図３に相当する図。
【図７】変形例３の図３に相当する図。
【発明を実施するための形態】
【００２２】
図１及び図２において、本発明の一実施形態による両軸受リール１００は、図示しないモータによって、スプール１０を回転駆動可能であり、釣り糸を前方に繰り出し可能な電動リールである。両軸受リール１００は、リール本体１と、リール本体１の一側に回転自在に装着されるハンドル２と、リール本体１に回転自在に支持されるスプール１０と、を備える。また、両軸受リール１００は、水深表示用のカウンタ４を備える。
【００２３】
図２に示すように、リール本体１は、フレーム５と、フレーム５の両側方を覆う第１側カバー８ａ及び第２側カバー８ｂと、を有する。フレーム５は、ハンドル２側の第１側板７ａと、第１側板７ａと対向して配置される第２側板７ｂと、を有する。第１側板７ａは、スプール１０の後述する第１フランジ部１０ｂを収容可能な第１スプール収容部１４ａを有する。
【００２４】
第２側板７ｂは、スプール１０が通過可能な円形の開口７ｅを有する側板本体７ｃと、側板本体７ｃの開口７ｅにねじ部材よって着脱可能に装着される円板状のスプール支持部７ｄと、を有する。側板本体７ｃは、第１側板７ａと複数の連結部材７ｆを介して一体的に形成される。スプール支持部７ｄは、スプール１０が一体回転可能に装着されるスプール軸１２の一端を、軸受４０ａを介して回転自在に支持する。スプール軸１２の他端は、第１側カバー８ａに軸受４０ｂを介して回転自在に支持される。
【００２５】
スプール支持部７ｄは、スプール１０の後述する第２フランジ部１０ｃを収容する第２スプール収容部１４ｂを有する。第１スプール収容部１４ａ及び第２スプール収容部１４ｂは、スプール収容部の一例であり、これらについては、スプール１０の説明とともに詳細に説明する。
【００２６】
スプール１０は、スプール軸１２が一体回転可能に連結される糸巻き胴部１０ａと、ハンドル２側に配置される第１フランジ部１０ｂと、第２フランジ部１０ｃと、を有する。第１フランジ部１０ｂは、糸巻き胴部１０ａの一端（図２の右端）に糸巻き胴部１０ａよりも大径に一体的に形成される。第２フランジ部１０ｃは、糸巻き胴部１０ａの他端（図２の左端）に糸巻き胴部１０ａよりも大径に一体的に形成される。第１フランジ部１０ｂは、外周部１６を有し、第２フランジ部１０ｃは、外周部２０を有する。
【００２７】
第１フランジ部１０ｂの外周部１６は、図３に示すように、第１外周部１６ａと、第２外周部１６ｂと、第１連結部１６ｃと、を有する。第１外周部１６ａは、第１スプール収容部１４ａの後述する内周部１８と第１所定距離Ｌ１をあけて配置される。第１外周部１６ａは、スプール軸１２と略平行な外周面である。第２外周部１６ｂは、第１スプール収容部１４ａの内周部１８と第２所定距離Ｌ２をあけて配置され、第１外周部１６ａよりも小径である。第２外周部１６ｂは、スプール軸１２と略平行な外周面である。第１連結部１６ｃは、第２外周部１６ｂから第１外周部１６ａに向かって徐々に拡径して第１外周部１６ａと第２外周部１６ｂとを連結する。本実施形態では、第１連結部１６ｃは、直線的に傾斜するテーパ面で構成される。
【００２８】
第１スプール収容部１４ａは、内周部１８を有する。内周部１８は、第１内周部１８ａと、第２内周部１８ｂと、第２連結部１８ｃと、糸落ち防止部１８ｄと、第３連結部１８ｅと、を有する。
第１内周部１８ａは、第１外周部１６ａと第１所定距離Ｌ１をあけて第１外周部１６ａの径方向外側に配置される。第２内周部１８ｂは、第１内周部１８ａよりも小径であり、第２外周部１６ｂと第２距離Ｌ２をあけて第２外周部１６ｂよりも径方向外側に配置される。第２連結部１８ｃは、第１内周部１８ａと第２内周部１８ｂとを連結する。第２連結部１８ｃは、本実施形態では、スプール軸１２と略直交する面で第１内周部１８ａと第２内周部１８ｂとを連結する。糸落ち防止部１８ｄは、間に第２外周部１６ｂが配置されるように第２内周部１８ｂの内周側に筒状に突出して配置される。糸落ち防止部１８ｄは、仮に釣り糸が第２外周部１６ｂから径方向内側に落ちても、それよりも径方向内側に釣り糸が落ちないようにするために設けられる。第３連結部１８ｅは、第２内周部１８ｂと糸落ち防止部１８ｄとを連結するために設けられる。第３連結部１８ｅは、本実施形態では、スプール軸１２と略直交する面で第２内周部１８ｂと糸落ち防止部１８ｄとを連結する。また、第１所定距離Ｌ１と第２所定距離Ｌ２は、同じ大きさであり、例えば、０．５ｍｍから２ｍｍの範囲である。
【００２９】
第２フランジ部１０ｃの外周部２０は、図４に示すように、第１フランジ部１０ｂと同様な形態の第１外周部２０ａと、第２外周部２０ｂと、第１連結部２０ｃと、を有する。第１外周部２０ａは、第２スプール収容部１４ｂの後述する内周部２２と第１所定距離Ｌ１をあけて配置される。第２外周部２０ｂは、第２スプール収容部１４ｂの内周部２２と第２所定距離Ｌ２をあけて配置され、第１外周部２０ａよりも小径である。第１連結部２０ｃは、第２外周部２０ｂから第１外周部２０ａに向かって徐々に拡径し、第１外周部２０ａと第２外周部２０ｂとを連結する。本実施形態では、第１連結部２０ｃは、直線的に傾斜するテーパ面で構成される。
【００３０】
第２スプール収容部１４ｂは、内周部２２を有する。内周部２２は、第１スプール収容部１４ａと同様な形態の第１内周部２２ａと、第２内周部２２ｂと、第２連結部２２ｃと、糸落ち防止部２２ｄと、第３連結部２２ｅと、を有する。第１内周部２２ａは、第１外周部２０ａと第１所定距離Ｌ１をあけて第１外周部２０ａの径方向外側に配置される。第２内周部２２ｂは、第１内周部２２ａよりも小径であり、第２外周部２０ｂと第２距離Ｌ２をあけて第２外周部２０ｂよりも径方向外側に配置される。第２連結部２２ｃは、第１内周部２２ａと第２内周部２２ｂとを連結する。第２連結部２２ｃは、本実施形態では、スプール軸１２と略直交する面で第１内周部２２ａと第２内周部２２ｂとを連結する。糸落ち防止部２２ｄは、間に第２外周部２０ｂが配置されるように第２内周部２２ｂの内周側に筒状に突出して配置される。糸落ち防止部２２ｄは、仮に釣り糸が第２外周部２０ｂから径方向内側に落ちてもそれよりも径方向内側に釣り糸が落ちないようにするために設けられる。第３連結部２２ｅは、第２内周部２２ｂと糸落ち防止部２２ｄとを連結するために設けられる。第３連結部２２ｅは、本実施形態では、スプール軸１２と略直交する面で第２内周部２２ｂと糸落ち防止部２２ｄとを連結する。また、第１所定距離Ｌ１と第２所定距離Ｌ２は、同じ大きさであり、例えば、０．５ｍｍから２ｍｍの範囲である。
【００３１】
次に、両軸受リール１００の作用について説明する。
キャスティングまたは仕掛けの自重によって釣り糸を繰り出すときに、釣り糸がスプール１０上で糸ふけし、第１外周部１６ａ（又は第１外周部２０ａ）と第１スプール収容部１４ａ（又は第２スプール収容部１４ｂ）との間の隙間から釣り糸が第２外周部１６ｂ（又は第２外周部２０ｂ）に進入することがある。
【００３２】
このような場合、本実施形態では、第１外周部１６ａ（又は第１外周部２０ａ）と第２外周部１６ｂ（又は第２外周部２０ｂ）とが、第２外周部１６ｂ（又は第２外周部２０ｂ）から第１外周部１６ａ（又は第１外周部２０ａ）に向かって徐々に拡径するテーパ面で構成される第１連結部１６ｃ（又は第１連結部２０ｃ）によって連結される。このため、釣り糸を引っ張ると、糸巻き胴部１０ａ上に戻る力が釣り糸に作用し、第１連結部１６ｃ（又は第１連結部２０ｃ）を上って、釣り糸が糸巻き胴部１０ａ上に戻りやすくなる。このため、釣り糸がリール本体１の内部に進入しても釣り糸をリール本体１内から取り出しやすくなる。
【００３３】
＜変形例１＞
図５に示す、変形例１では、第２連結部１１８ｃの形状及び第２所定距離Ｌ２が上記実施形態と異なる。第２連結部１１８ｃは、連続的に湾曲して第１内周部１８ａと第２内周部１８ｂとを連結する。これによって、第２連結部１１８ｃに釣り糸が接触しても釣り糸が傷付きにくくなる。また、第２距離Ｌ２は、第１距離Ｌ１よりも小さい。これらの点を除いて、変形例１のリール本体の構成は上記実施形態と同じである。
【００３４】
このような変形例１では、第２連結部１１８ｃが連続して湾曲して第１内周部１８ａと第２内周部１８ｂとを連結しているので、第２連結部１１８ｃに釣り糸が接触しても釣り糸が傷付きにくくなる。また、第２所定距離Ｌ２が第１所定距離Ｌ１よりも小さいので、釣り糸が第２外周部１６ｂまで進入しても、第２外周部１６ｂから糸落ちしにくい。なお、第２所定距離Ｌ２は、例えば、０．３ｍｍから１．８ｍｍの範囲である。
【００３５】
＜変形例２＞
図６に示す変形例２では、第２連結部２１８ｃの構成が上記実施形態と異なる。変形例２では、第２連結部２１８ｃの第２内周部１８ｂと連結する軸方向位置が第１内周部１８ａと連結する位置よりも第１連結部１６ｃ側に配置される。この点を除いて、変形例２のリール本体の構成は上記実施形態と同じである。これによって、第２外周部１６ｂ側に進入した釣り糸が第２連結部２１８ｃに接触すると、第１連結部１６ｃ側に案内される。このため、釣り糸がさらに糸落ちしにくくなる。
【００３６】
＜変形例３＞
図７に示す変形例３では、スプールの第１連結部３１６ｃの構成が上記実施形態と異なる。変形例３では、第１連結部３１６ｃは、連続的に湾曲して第１外周部１６ａと第２外周部１６ｂとを連結するように構成される。この点を除いて、変形例３のスプールの構成は上記実施形態と同じである。これによって、第２外周部１６ｂ側に進入した釣り糸が第２連結部２１８ｃに接触すると、第１連結部１６ｃ側に案内される。ここでは、第１連結部３１６ｃが滑らかに形成されるので、釣り糸を取り出す際に第１連結部３１６ｃに釣り糸が接触しても釣り糸が傷付きにくくなる。
【００３７】
＜特徴＞
上記実施形態は、下記のように表現可能である。
【００３８】
（Ａ）両軸受リール１００は、釣り糸を前方に繰り出し可能である。両軸受リール１００は、リール本体１と、スプール１０と、を備える。リール本体１は、内側に開口した第１スプール収容部１４ａを有する。スプール１０は、釣り糸を巻き付け可能な糸巻き胴部１０ａ、糸巻き胴部１０ａの一端に糸巻き胴部１０ａよりも大径に形成される第１フランジ部１０ｂ、及び糸巻き胴部１０ａの他端に糸巻き胴部１０ａよりも大径に形成される第２フランジ部１０ｃ、を有する。
【００３９】
第１フランジ部１０ｂ及び第２フランジ部１０ｃの少なくともいずれか一方の外周部１６（又は外周部２０）は、第１外周部１６ａ（又は第１外周部２０ａ）と、第２外周部１６ｂ（又は第２外周部２０ｂ）と、第１連結部１６ｃ（又は第１連結部２０ｃ）と、を有する。第１外周部１６ａ（又は第１外周部２０ａ）は、第１スプール収容部１４ａ（又は第２スプール収容部１４ｂ）の内周部１８（又は内周部２２）と第１所定距離Ｌ１をあけて配置される。第２外周部１６ｂ（又は第２外周部２０ｂ）は、第１スプール収容部１４ａ（又は第２スプール収容部１４ｂ）の内周部１８（又は内周部２２）と第２所定距離Ｌ２をあけて配置され、第１外周部１６ａ（又は第１外周部２０ａ）よりも小径である。第１連結部１６ｃ（又は第１連結部２０ｃ）は、第２外周部１６ｂ（又は、第２外周部２０ｂ）から第１外周部１６ａ（又は第１外周部２０ａ）に向かって徐々に拡径し、第１外周部１６ａ（又は第１外周部２０ａ）と第２外周部１６ｂ（又は第２外周部２０ｂ）とを連結する。
【００４０】
この両軸受リール１００では、第１連結部１６ｃ（又は第１連結部２０ｃ）が第２外周部１６ｂ（又は第２外周部２０ｂ）から第１外周部１６ａ（又は第１外周部２０ａ）に向かって徐々に拡径している。ここでは、仮に第１外周部１６ａ（又は第１外周部２０ａ）と第１スプール収容部１４ａ（又は第２スプール収容部１４ｂ）との間の隙間から釣り糸が第２外周部１６ｂ（又は第２外周部２０ｂ）に進入しても、釣り糸が引っ張ると、釣り糸に糸巻き胴部１０ａに戻る力が作用し、第１連結部１６ｃ（又は第１連結部２０ｃ）を上って、釣り糸が糸巻き胴部１０ａに戻りやすくなる。このため、釣り糸がリール本体１の内部に進入しても釣り糸をリール本体１の内部から取り出しやすくなる。
【００４１】
（Ｂ）第１スプール収容部１４ａ（又は第２スプール収容部１４ｂ）の内周部１８（又は内周部２２）は、第１外周部１６ａ（又は第１外周部２０ａ）と第１所定距離Ｌ１あけて配置される第１内周部１８ａ（又は第１内周部２２ａ）と、第２外周部１６ｂ（又は第２外周部２０ｂ）と第２所定距離Ｌ２あけて配置され、第１内周部１８ａ（又は第１内周部２２ａ）よりも小径の第２内周部１８ｂ（又は第２内周部２２ｂ）と、を有してもよい。この場合には、第１スプール収容部１４ａ（又は第２スプール収容部１４ｂ）の第１内周部１８ａ（又は第１内周部２２ａ）よりも小径の第２内周部１８ｂ（又は第２内周部２２ｂ）が第２外周部１６ｂ（又は第２外周部２０ｂ）との間に第２所定距離Ｌ２をあけて配置されるので、第２外周部１６ｂ（又は第２外周部２０ｂ）と第２内周部１８ｂ（又は第２内周部２２ｂ）との隙間から釣り糸がリール本体１の内部に進入しにくくなる。
【００４２】
（Ｃ）第１スプール収容部１４ａ（又は第２スプール収容部１４ｂ）は、第１内周部１８ａ（又は第１内周部２２ａ）と第２内周部１８ｂ（又は第２内周部２２ｂ）とを連結する第２連結部１８ｃ（又は第２連結部２２ｃ）を有してもよい。この場合には、第１内周部１８ａ（又は第１内周部２２ａ）と第２内周部１８ｂ（又は第２内周部２２ｂ）とが連結されるので、第２外周部１６ｂ（又は第２外周部２０ｂ）に釣り糸が進入しても進入した釣り糸が第２連結部１８ｃ（又は第２連結部２２ｃ）に接触してリール本体１の内部に進入しにくくなる。
【００４３】
（Ｄ）第２連結部１８ｃ（又は第２連結部２２ｃ）は、連続的に湾曲して第１内周部１８ａ（又は第１内周部２２ａ）と第２内周部１８ｂ（又は第２内周部２２ｂ）とを連結してもよい。この場合には、第２連結部１８ｃ（又は第２連結部２２ｃ）に釣り糸が接触しても釣り糸を第２外周部１６ｂ（又は第２外周部２０ｂ）に戻しやすい形状にすることができる。また、第２連結部１８ｃ（又は第２連結部２２ｃ）が滑らかに形成されるので、釣り糸が第２連結部１８ｃ（又は第２連結部２２ｃ）に接触しても釣り糸が傷付きにくくなる。
【００４４】
（Ｅ）第１所定距離Ｌ１と第２所定距離Ｌ２は同じ距離であってもよい。この場合には、第１外周部１６ａ（又は２０ａ）及び第２外周部１６ｂ（又は２０ｂ）が第１スプール収容部１４ａ（又は第２スプール収容部１４ｂ）に接触しにくくなる。
【００４５】
（Ｆ）第２所定距離Ｌ２は、第１所定距離Ｌ１よりも小さくてもよい。この場合に、第２外周部１６ｂ（又は第２外周部２０ｂ）からリール本体１の内部に釣り糸が進入しにくくなる。
【００４６】
（Ｇ）第１連結部１６ｃ（又は第１連結部２０ｃ）は、連続的に湾曲して第１外周部１６ａ（又は第１外周部２０ａ）と第２外周部１６ｂ（又は第２外周部２０ｂ）とを連結する。この場合には、第１連結部１６ｃ（又は第１連結部２０ｃ）が滑らかに形成されるので、第１連結部１６ｃ（又は第１連結部２０ｃ）に釣り糸が接触しても釣り糸が傷付きにくくなる。
【００４７】
（Ｈ）第１フランジ部１０ｂは、スプール１０を回転操作するハンドル２側に配置され、外周部１６（又は２０）を有してもよい。この場合には、ハンドル２側でリール本体１の内部に釣り糸が進入しても、釣り糸を取り出しやすくなる。
【００４８】
（Ｉ）第２フランジ部１０ｃは、外周部２０を有してもよい。この場合には、第２フランジ部１０ｃからリール本体１の内部に釣り糸が進入しても、釣り糸を取り出しやすくなる。
【００４９】
（Ｊ）第１所定距離Ｌ１及び第２所定距離Ｌ２は、０．５ｍｍから２ｍｍの範囲であってもよい。この場合には、細い釣り糸が第１外周部１６ａ（又は第１外周部２０ａ）及び第２外周部１６ｂ（又は第２外周部２０ｂ）から進入しにくくなるとともに、第１外周部１６ａ（又は第１外周部２０ａ）及び第２外周部１６ｂ（又は第２外周部２０ｂ）が第１スプール収容部１４ａ（又は第２スプール収容部１４ｂ）に接触しにくくなる。
【００５０】
＜他の実施形態＞
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組合せ可能である。
【００５１】
（ａ）上記実施形態及び３つの変形例では、第２内周部を設けたが、第２内周部は設けなくてもよい。
【００５２】
（ｂ）上記実施形態では、両軸受リールとして電動リールを例示したが、本発明はこれに限定されない。たとえば、手巻きの両軸受リール、カウンタ（水深表示装置）付きの手巻きの両軸受リールなどの全ての両軸受リールに本発明を適用できる。
【００５３】
（ｃ）上記実施形態では、スプールの第１フランジ部１０ｂ（又は第２フランジ部１０ｃ）に第１外周部１６ａ（又は第１外周部２０ａ）及び第２外周部１６ｂ（又は第２外周部２０ｂ）を設けたが、本発明はこれに限定されない。第１外周部及び第２外周部は、第１フランジ部及び第２フランジ部の少なくとも一方に設けられていればよい。また、第１内周部及び第２内周部を有するスプール収容部も第１フランジ部及び第２フランジ部の少なくとも一方を収容可能に設けられていればよい。
【００５４】
（ｄ）上記実施形態では、モータがスプール内に配置されていないが、モータがスプール内に配置される電動の両軸受リールにも本発明を適用できる。
【符号の説明】
【００５５】
１    リール本体
２    ハンドル
１０    スプール
１０ａ  糸巻き胴部
１０ｂ  第１フランジ部
１０ｃ  第２フランジ部
１４ａ  第１スプール収容部（スプール収容部の一例）
１４ｂ  第２スプール収容部（スプール収容部の一例）
１６，２０    外周部
１６ａ，２０ａ  第１外周部
１６ｂ，２０ｂ  第２外周部
１６ｃ，２０ｃ  第１連結部
１８，２２    内周部
１８ａ，２２ａ  第１内周部
１８ｂ，２２ｂ  第２内周部
１８ｃ，２２ｃ  第２連結部
１００    両軸受リール
Ｌ１    第１所定距離
Ｌ２    第２所定距離
【図１】
2015181436.tif 000003
【図２】
2015181436.tif 000004
【図３】
2015181436.tif 000005
【図４】
2015181436.tif 000006
【図５】
2015181436.tif 000007
【図６】
2015181436.tif 000008
【図７】
2015181436.tif 000009